(57)【要約】【課題】  大規模な電子記憶装置を用いずに原本保証が可能な画像処理システムの提供。【解決手段】  プリントされた付加情報により出力用紙の原本性確認を行う画像処理システムにおいて、スキャンした電子データから手書きで上書きされた部分の電子データを抽出する第一の抽出手段と、第一の抽出手段で抽出した電子データの特徴量を抽出する第二の抽出手段と、第一の抽出手段で抽出した電子データ、及び第二の抽出手段により抽出された特徴量を記憶する第一の記憶手段と、出力用紙に付加された付加情報を抽出する第三の抽出手段を備え、前記第二および第三の抽出手段により抽出された情報を用いて原本性を確認することを特徴とする画像処理システム。【選択図】        図１
2006093951.tif 000002
【特許請求の範囲】
【請求項１】
プリントされた付加情報により出力用紙の原本性確認を行う画像処理システムにおいて、スキャンした電子データから手書きで上書きされた部分の電子データを抽出する第一の抽出手段と、第一の抽出手段で抽出した電子データの特徴量を抽出する第二の抽出手段と、第一の抽出手段で抽出した電子データ、及び第二の抽出手段により抽出された特徴量を記憶する第一の記憶手段と、出力用紙に付加された付加情報を抽出する第三の抽出手段を備え、前記第二および第三の抽出手段により抽出された情報を用いて原本性を確認することを特徴とする画像処理システム。
【請求項２】
前記画像処理システムにおいて、前記付加情報は第二の抽出手段によって抽出した特徴量であり、原本性確認は出力用紙と前記第一の記憶手段で記憶した電子データの同一性を確認することを特徴とする請求項１に記載の画像処理システム。
【請求項３】
前記画像処理システムにおいて、前記付加情報はシステムにおいて発行されるユニークな特定情報であり、原本性確認は出力用紙と前記第一の記憶手段で記憶した電子データの同一性を確認することを特徴とする請求項１に記載の画像処理システム。
【請求項４】
プリントされた付加情報により出力用紙の原本性確認を行う画像処理システムにおいて、スキャンした電子データから登録番号を取得する第一の取得手段と、スキャンした電子データから手書き部の電子データを抽出する第一の抽出手段と、第一の抽出手段で抽出した電子データの特徴量を抽出する第二の抽出手段と、第一の抽出手段で抽出した電子データ、及び第二の抽出手段により抽出された特徴量をサーバーに送出する送出手段と、サーバーにおいてデータを送出された日時を特定する特定手段と、ユニークな新しい管理番号を発行する発行手段と、送出された一連のデータを保存する第一の保存手段と、新しい登録番号、及び受信日時を印刷装置に通知する第一の通知手段と、印刷装置において通知された情報、及び第一の取得手段で取得した登録番号を携帯メモリ上に新規管理ファイルとして登録する登録手段と、第一の取得手段で取得した登録番号をサーバーに通知する第二の通知手段と、サーバーにて通知された管理番号の保存データを検索する検索手段と、検索した保存データを送信する送信手段と、印刷装置にて送信された保存データと第一の抽出手段で送出した電子データから新たなプリントデータを作成する作成手段と、プリントデータに新たな管理番号、及び第二の抽出手段で抽出したと特徴量を付加する付加手段と、プリントされた出力用紙に付加された付加情報を抽出する第三の抽出手段と、抽出した前記付加情報をサーバーに送出する手段と、サーバーにおいて送出された前記付加情報とサーバーの前記第一の保存手段に格納した情報を比較照合する手段を備えることを特徴とする画像処理システム。
【発明の詳細な説明】
【技術分野】
【０００１】
本発明は、プリントされた付加情報と保存された情報により出力用紙の原本性確認を行う画像処理システムに関する。
【背景技術】
【０００２】
従来、原本性保証という分野で種々の提案がなされている。
【０００３】
例えば、紙の原本が有する性質を電子情報に持たせ、電子情報の証明力を高めることを目的に、電子データを保存する際に、原本であることを示すファイル属性コードを付加し、少なくとも他の電子データと識別可能な状態で保存するようにしている（特許文献１）。
【０００４】
また、保存された申請書類の安全性を長期にわたって確保する電子申請システムを提供することを目的として端末からネットワーク経由で電子的な書類の申請を行う電子申請システムが提供され、その電子申請システムは、書類保存装置と、端末から送信された書類を含む情報から改竄検知コードを計算する手段と、該情報を該改竄検知コードとともに書類保存装置に保存する手段とを有している（特許文献２）。
【特許文献１】特開２０００−２８５０２４号公報
【特許文献２】特開２００１−２０２４３６号公報
【発明の開示】
【発明が解決しようとする課題】
【０００５】
前記特許文献１および２で示すように、電子情報の形態で管理サーバーに元のデータ全てを保存しておく事は、大規模な電子記憶装置が必要になり、その維持管理が容易ではない。又電子情報全てを長期にわたり、外部の記憶装置に保持することにより機密保全上のリスクが増大する。
【０００６】
本発明は上述の問題点にかんがみ、印刷装置より電子データを管理サーバーに登録する際、登録する個所は最も重要で新規な部分に絞り、かつ従来データと変わらない個所はサーバー内の保存データを使用する事で、大規模な電子記憶装置を用いずにシステムを構成することを目的とする。更に、新規登録したデータと保存されているデータの関連については、ローカルな媒体に保持して、機密保全上のリスクを減少させることができる画像処理システムを提供することを目的とする。
【課題を解決するための手段】
【０００７】
本発明の画像処理システムは、上記課題を解決するために以下の構成を備える。
【０００８】
本発明に係る第１の発明は、プリントされた付加情報により出力用紙の原本性確認を行う画像処理システムにおいて、スキャンした電子データから手書きで上書きされた部分の電子データを抽出する第一の抽出手段と、第一の抽出手段で抽出した電子データの特徴量を抽出する第二の抽出手段と、第一の抽出手段で抽出した電子データ、及び第二の抽出手段により抽出された特徴量を記憶する第一の記憶手段と、出力用紙に付加された付加情報を抽出する第三の抽出手段を備え、前記第二および第三の抽出手段により抽出された情報を用いて原本性を確認する手段とを有するものである。
【０００９】
本発明に係る第２の発明は、前記画像処理システムにおいて、前記付加情報は第二の抽出手段によって抽出した特徴量であり、原本性確認は出力用紙と前記第一の記憶手段で記憶した電子データの同一性を確認する手段とを有するものである。
【００１０】
本発明に係る第３の発明は、前記画像処理システムにおいて、前記付加情報はシステムにおいて発行されるユニークな特定情報であり、原本性確認は出力用紙と前記第一の記憶手段で記憶した電子データの同一性を確認する手段とを有するものである。
【００１１】
本発明に係る第４の発明は、プリントされた付加情報により出力用紙の原本性確認を行う画像処理システムにおいて、スキャンした電子データから登録番号を取得する第一の取得手段と、スキャンした電子データから手書き部の電子データを抽出する第一の抽出手段と、第一の抽出手段で抽出した電子データの特徴量を抽出する第二の抽出手段と、第一の抽出手段で抽出した電子データ、及び第二の抽出手段により抽出された特徴量をサーバーに送出する送出手段と、サーバーにおいてデータを送出された日時を特定する特定手段と、ユニークな新しい管理番号を発行する発行手段と、送出された一連のデータを保存する第一の保存手段と、新しい登録番号、及び受信日時を印刷装置に通知する第一の通知手段と、印刷装置において通知された情報、及び第一の取得手段で取得した登録番号を携帯メモリ上に新規管理ファイルとして登録する登録手段と、第一の取得手段で取得した登録番号をサーバーに通知する第二の通知手段と、サーバーにて通知された管理番号の保存データを検索する検索手段と、検索した保存データを送信する送信手段と、印刷装置にて送信された保存データと第一の抽出手段で送出した電子データから新たなプリントデータを作成する作成手段と、プリントデータに新たな管理番号、及び第二の抽出手段で抽出したと特徴量を付加する付加手段と、プリントされた出力用紙に付加された付加情報を抽出する第三の抽出手段と、抽出した前記付加情報をサーバーに送出する手段と、サーバーにおいて送出された前記付加情報とサーバーの前記第一の保存手段に格納した情報を比較照合する手段とを有するものである。
【発明の効果】
【００１２】
大規模な電子記憶装置を用いずに原本保証システムを構成することが可能となる。更に、原本部分に保存データを用いる事で、高品質なコピー出力をする事が可能となる。
【発明を実施するための最良の形態】
【００１３】
本発明は、印刷装置を介してサーバーにデータの保存や原本性の確認を行うシステム形態に実施されるものである。
【実施例】
【００１４】
図１は本発明の画像処理システムの全体構成を示すブロック図である。同図において、１は印刷装置であり、１ａはプログラムのスキャンデータ解析部、１ｂはプログラムのプリントデータ作成部である。２は携帯用メモリであり、２ａは保存しているデータ部である。３はサーバーであり、３ａはプログラムのデータ保存／原本登録部、３ｂはプログラムのデータ検索部である。４は印刷装置で出力した出力用紙であり、５は出力用紙４を元に商談を進めている図であり、６は５の商談の結果、出力用紙４に手書きで上書きしたものである。７は本発明の処理を行った出力用紙であり、８は原本登録確認時に出力用紙７のデータを読み取るリーダーである。
【００１５】
図２は本発明を示す画像処理システムにおける第１の処理手順の一例を示す図であり、図２の（１０１）〜（１１４）は各ステップを示している。
【００１６】
以下、図１並びに図２を用いて、本発明の画像処理システムにおける登録・複写処理を詳細に説明する。
【００１７】
まず、ユーザは保存されているデータの中から、印刷したいデータを図１の印刷装置１に指定する。ここでの指定方法はパネル操作でもプリンタドライバでも良い。印刷装置１は、指定されたファイル名が携帯メモリのデータ部２ａにある管理ファイルＤＢに入っている事を確認し、入っているのであればファイル名に対応する管理番号を取得する。そして、取得した管理番号と、データ部２ａのサーバアドレスとユーザＩＤを用いて、サーバー３のデータ検索部３ｂにアクセスして所望のデータを印刷装置１に転送させて印刷処理を行う。４は印刷処理によって作成された出力用紙であり、管理番号が文字、もしくはバーコードの形で印刷されている。５はユーザとその顧客が出力用紙４を見ながら商談を進めている図であり、６は商談５によって内容が更新された出力用紙である。
【００１８】
出力用紙６を印刷装置１のスキャナで読み込むと、図２のステップ（１０１）の処理によってスキャンしたデータの中から登録番号が識別される。ステップ（１０２）では、スキャンデータから手書きで上書きした部分を抽出して保存用の手書き部データを作成しており、ステップ（１０３）では図４で示す方法で手書き部データからハッシュ関数を行い、特徴量としてメッセージ・ダイジェクト値を抽出する。ステップ（１０４）では、データ部２ａに入っているユーザＩＤ、作成した手書き部データと特徴量をサーバー３に送出する。ステップ（１０９）では、印刷装置１から送られたデータの受信日時を特定して、ステップ（１１０）では、ユニークに決められる登録番号を決定する。ステップ（１１１）では、原本保証に必要とされる受信日時、登録番号、ユーザＩＤ、特徴量、手書き部データの登録を行い、ステップ（１１２）では登録番号と受信日時を印刷装置１に送出する。ステップ（１０５）では、サーバー３から送られた登録番号と受信日時を受信し、ステップ（１０１）で取得したスキャンデータの登録番号とともに新規管理ファイルを作成し、携帯メモリのデータ部２ａに保存する。図２のステップ（１０６）では、スキャンデータの登録番号をサーバー３に送信しており、ステップ（１１３）では、印刷装置１から送信された管理番号に該当する保存データを、サーバー３内の記憶装置の中から探し出す。ステップ（１１４）では、探し出した保存データを印刷装置１へ送出しており、ステップ（１０７）では、サーバー３から送られた保存データと、手書き部データと、ステップ（１１０）で発行された新しい登録番号と、特徴量の電子透かしによりプリントデータを作成し、ステップ（１０８）で印刷実行する。
【００１９】
図３は、図２のプリントデータ作成（ステップ（１０７））の処理を説明する図面である。
【００２０】
３０３は新しい登録番号をプリントデータ上に付加することを意味しており、３０５はダイジェスト値を図５で示す方式で電子透かしとしてプリントデータに重畳することを意味している。
【００２１】
図４は、図２の特徴量抽出（ステップ（１０３））を説明する図面である。
【００２２】
本実施の形態では、ＭＤ５と呼ばれているハッシュ関数を用いてメッセージダイジェスト値を算出するようにしている。ＭＤ５は例えば、現在実用に用いられている暗号化プログラムの一つであるＰＧＰ（Ｐｒｅｔｔｙ  Ｇｏｏｄ  Ｐｒｉｖａｃｙ）でメッセージダイジェスト関数として用いられている。
【００２３】
図５は、電子透かし情報としてメッセージダイジェスト値をプリント画像に付加する説明である。電子透かし技術は、公知の技術であり、例えば公開特許公報の特開平９−１９１３９４号に詳述されている。
【００２４】
次に、プリントされた出力用紙の原本性を確認する場合について述べる。
【００２５】
図６は、本発明による画像処理システムの、プリントされた出力用紙の原本登録確認処理を説明するフローチャートである。
【００２６】
ステップ（６０１）〜ステップ（６０６）は印刷装置１の処理を説明する部分である。ステップ（６０１）において、のリーダー８より原本保証コード付出力用紙７を読み取り、登録番号及び、ダイジェスト値を抽出する。ステップ（６０２）において、ダイジェクト値より読み取った特徴量と登録番号を、サーバー３に送出する。
【００２７】
ステップ（６０３）において、サーバー３での確認結果を受信する。ステップ（６０４）において、確認結果が肯定判定の時は、ステップ（６０５）に進み図７で示す登録確認証をプリントし、確認結果が否定判定の時はステップ（６０６）に進み、図８で示す登録不確認をプリントする。
【００２８】
ステップ（６０７）〜ステップ（６１０）は、サーバー３の認証処理を説明する部分である。
【００２９】
ステップ（６０７）において、ダイジェクト値より読み取った特徴量と登録番号を受け取り、該当するデータを特定する。そしてサーバー３の記憶装置に記憶した特徴量と前記特徴量を比較判定する。その判定結果が、肯定的な結果であればステップ（６０８）に進み肯定的結果を、否定的な結果であればステップ（６０９）に進み否定的結果を、それぞれ確認履歴に代入する。次に、ステップ（６１０）では判定結果を印刷装置１に送出する。
【００３０】
なお、原本保証コード付出力用紙７の情報とサーバー３に登録された情報とは、登録時に対応されているので、この両者に不一致が生じた場合には、エラーとして表示する。
【００３１】
また、サーバー３の記憶装置に記憶された電子データが見つからない場合も、『該当するデータが見つかりません』というメッセージを表示し、ユーザに知らせる。
【産業上の利用可能性】
【００３２】
一般に契約を結ぶ際、双方の話し合いにより、用意した書類に条件を上書きして更新する場合が多々ある。（例：不動産の賃貸契約）。そのようなワークフロー上において、書類の原本保証を進める場合、本発明のようなシステムが必要になると考えられる。
【図面の簡単な説明】
【００３３】
【図１】本実施例の画像処理システムの構成を示すブロック図である。
【図２】画像処理システムのプリント時の処理を説明するフローチャートである。
【図３】図２のプリントデータ作成１０７の処理を説明する図面である。
【図４】プリントデータから特徴量を抽出する処理を説明する図である。
【図５】電子透かし情報としてメッセージダイジェスト値をプリント画像に付加する説明である。
【図６】画像処理システムのプリント物の原本登録確認処理を説明するフローチャートである。
【図７】登録確認証を説明する図面である。
【図８】登録不確認の際の確認証を説明する図面である。
【符号の説明】
【００３４】
１  印刷装置
１ａ  スキャンデータ解析部
１ｂ  プリントデータ作成部
２  携帯用メモリ
２ａ  データ部
３  サーバー
３ａ  データ保存／原本登録部
３ｂ  データ検索部
４  出力用紙
６  出力用紙４に手書きで上書きしたもの
７  原本保証コード付出力用紙
８  リーダー
【図２】
2006093951.tif 000003
【図３】
2006093951.tif 000004
【図４】
2006093951.tif 000005
【図５】
2006093951.tif 000006
【図６】
2006093951.tif 000007
【図７】
2006093951.tif 000008
【図８】
2006093951.tif 000009
【図１】
2006093951.tif 000010